(57)【特許請求の範囲】
【請求項１】
略正方形の外郭形状を有する薄板状の第１被収納物を複数枚収納可能に構成され、上方が開口し上面視が略正方形状の収納箱部と、
前記収納箱部の下部に設けられ、当該収納箱部を移動自在に支持するキャスター部と、
前記収納箱部の前記開口を塞ぐように上部に設けられた略透明な板状の透過部材と、
任意の１つの前記第１被収納物を、前記薄板状の面方向を略水平にしつつ前記透過部材の下部において載置する載置部と、
を有し、
前記載置部に略水平に載置された前記第１被収納物の外観を前記透過部材越しに視認可能とした移動式収納家具であって、
前記収納箱部の前記開口の上縁部に載置された前記透過部材を当該上縁部に対し係止する係止部材をさらに有し、
前記収納箱部は、
前記第１被収納物を、前記薄板状の面方向を略鉛直にしつつ収納し、  ４つの前記係止部材が、
前記収納箱部の前記開口の前記上縁部における前記略正方形状の４つのコーナー部にそれぞれ設けられて前記透過部材の四隅をそれぞれ係止し、
４つの前記載置部が、
前記収納箱部の前記開口の前記上縁部近傍において、前記４つのコーナー部にそれぞれ配置された前記４つの係止部材よりも前記略正方形状の内周側にそれぞれ設けられて、前記１つの前記第１被収納物の四隅を下方からそれぞれ支持することを特徴とする移動式収納家具。
【請求項２】
略正方形の外郭形状を有する薄板状の第１被収納物を複数枚収納可能に構成され、上方が開口し上面視が略正方形状の収納箱部と、
前記収納箱部の下部に設けられ、当該収納箱部を移動自在に支持するキャスター部と、
前記収納箱部の前記開口を塞ぐように上部に設けられた略透明な板状の透過部材と、
任意の１つの前記第１被収納物を、前記薄板状の面方向を略水平にしつつ前記透過部材の下部において載置する載置部と、
を有し、
前記載置部に略水平に載置された前記第１被収納物の外観を前記透過部材越しに視認可能とした
移動式収納家具であって、
前記収納箱部の前記開口の上縁部に載置された前記透過部材を当該上縁部に対し係止する係止部材をさらに有し、
前記収納箱部は、
前記第１被収納物を、前記薄板状の面方向を略鉛直にしつつ収納し、
前記載置部は、
前記収納箱部の前記開口の前記上縁部近傍かつ前記透過部材の下方において当該透過部材と略平行に配置された、前記収納箱部に対して着脱可能な平板部材であり、
かつ、前記載置部は、
前記収納箱部の壁面近傍に、開口部を備える
ことを特徴とする移動式収納家具。
【請求項３】
請求項２記載の移動式収納家具において、
前記開口部を開閉する開閉部材を設けた
ことを特徴とする移動式収納家具。
【請求項４】
略正方形の外郭形状を有する薄板状の第１被収納物を複数枚収納可能に構成され、上方が開口し上面視が略正方形状の収納箱部と、
前記収納箱部の下部に設けられ、当該収納箱部を移動自在に支持するキャスター部と、
前記収納箱部の前記開口を塞ぐように上部に設けられた略透明な板状の透過部材と、
任意の１つの前記第１被収納物を、前記薄板状の面方向を略水平にしつつ前記透過部材の下部において載置する載置部と、
を有し、
前記載置部に略水平に載置された前記第１被収納物の外観を前記透過部材越しに視認可能とした
移動式収納家具であって、
前記収納箱部の前記開口の上縁部に載置された前記透過部材を当該上縁部に対し係止する係止部材をさらに有し、
前記収納箱部は、
前記第１被収納物を、前記薄板状の面方向を略鉛直にしつつ収納し、
前記載置部は、
前記収納箱部の前記開口の前記上縁部近傍かつ前記透過部材の下方において当該透過部材と略平行に配置された、前記収納箱部に対して着脱可能な平板部材であり、
かつ、前記載置部は、
前記載置部は、
互いに異なる大きさを備えた複数種類の前記第１被収納物の外形にそれぞれ対応した、各第１被収納物をそれぞれ位置決め可能な複数の凹部を備える
ことを特徴とする移動式収納家具。
【請求項５】
略正方形の外郭形状を有する薄板状の第１被収納物を複数枚収納可能に構成され、上方が開口し上面視が略正方形状の収納箱部と、
前記収納箱部の下部に設けられ、当該収納箱部を移動自在に支持するキャスター部と、
前記収納箱部の前記開口を塞ぐように上部に設けられた略透明な板状の透過部材と、
任意の１つの前記第１被収納物を、前記薄板状の面方向を略水平にしつつ前記透過部材の下部において載置する載置部と、
を有し、
前記載置部に略水平に載置された前記第１被収納物の外観を前記透過部材越しに視認可能とした
移動式収納家具であって、
前記収納箱部の前記開口の上縁部に載置された前記透過部材を当該上縁部に対し係止する係止部材をさらに有し、
前記収納箱部は、
前記第１被収納物を、前記薄板状の面方向を略鉛直にしつつ収納し、
前記載置部は、
前記収納箱部の前記開口の前記上縁部近傍かつ前記透過部材の下方において当該透過部材と略平行に配置された、前記収納箱部に対して着脱可能な平板部材であり、
かつ、前記載置部は、
前記第１被収納物の外形に対応した、当該第１被収納物を位置決め可能な凹部を備え、
かつ、前記載置部は、
互いに異なる複数の向きで前記第１被収納物をそれぞれ載置する場合に対応した、複数の前記凹部を備える
ことを特徴とする移動式収納家具。
【請求項６】
請求項４又は請求項５記載の移動式収納家具において、
前記収納箱部は、
前記第１被収納物を複数枚収納可能な第１領域と、
前記第１被収納物と異なる第２被収納物を複数個収納可能な第２領域と、
を備えており、
かつ、
前記第１領域と第２領域とを区分可能な仕切部材を設けた
ことを特徴とする移動式収納家具。
【請求項７】
略正方形の外郭形状を有する薄板状の被収納物を複数枚収納可能に構成され、上方が開口し上面視が略正方形状の収納箱部と、
前記収納箱部の前記開口を塞ぐように上部に設けられた略透明な板状の透過部材と、
任意の１つの前記被収納物を、前記薄板状の面方向を略水平にしつつ前記透過部材の下部において載置する載置部と、
を有し、
前記載置部に略水平に載置された前記被収納物の外観を前記透過部材越しに視認可能とした、収納家具ユニットを、略水平方向に複数個連結した移動式収納家具であって、
各収納家具ユニットは、
前記収納箱部の前記開口の上縁部に載置された前記透過部材を当該上縁部に対し係止する係止部材をさらに有し、
前記収納箱部は、
前記被収納物を、前記薄板状の面方向を略鉛直にしつつ収納し、
４つの前記係止部材が、
前記収納箱部の前記開口の前記上縁部における前記略正方形状の４つのコーナー部にそれぞれ設けられて前記透過部材の四隅をそれぞれ係止し、
４つの前記載置部が、
前記収納箱部の前記開口の前記上縁部近傍において、前記４つのコーナー部にそれぞれ配置された前記４つの係止部材よりも前記略正方形状の内周側にそれぞれ設けられて、前記１つの前記被収納物の四隅を下方からそれぞれ支持し、
前記互いに連結された複数個の収納家具ユニットの下部に、当該複数個の収納家具ユニットを一体として移動自在に支持するキャスター部を設けた
ことを特徴とする移動式収納家具。
【発明の詳細な説明】
【技術分野】
【０００１】
本発明は、収納箱部と、収納箱部を移動自在に支持するキャスター部と、を有する移動式収納家具に関する。
【背景技術】
【０００２】
従来、収納箱部と、収納箱部を移動自在に支持するキャスター部と、を有する移動収納ボックス（移動式収納家具）が知られている（例えば、特許文献１参照）。
【先行技術文献】
【特許文献】
【０００３】
【特許文献１】実用新案登録３０９４７７１号（図１等）
【発明の概要】
【発明が解決しようとする課題】
【０００４】
上記従来技術の移動式収納家具では、たくさんの被収納物を収納箱部に収納でき、また、移動自在であるため、使用する所望の場所に移動することができ、使用しないときは邪魔にならない位置に退避できる。
しかし、上記従来技術の移動式収納家具では、これをテーブルとして利用し、そして、テーブルとして利用する際にデザインを表現してインテリアとしての美観を向上させる点については特に配慮されていなかった。
【０００５】
本発明の目的は、テーブルとして利用でき、テーブルとして利用する際にデザインを表現してインテリアとしての美観を向上させることができる移動式収納家具を提供することにある。
【課題を解決するための手段】
【０００６】
上記目的を達成するために、本願発明の移動式収納家具は、略正方形の外郭形状を有する薄板状の第１被収納物を複数枚収納可能に構成され、上方が開口し上面視が略正方形状の収納箱部と、前記収納箱部の下部に設けられ、当該収納箱部を移動自在に支持するキャスター部と、前記収納箱部の前記開口を塞ぐように上部に設けられた略透明な板状の透過部材と、任意の１つの前記第１被収納物を、前記薄板状の面方向を略水平にしつつ前記透過部材の下部において載置する載置部と、を有し、前記載置部に略水平に載置された前記第１被収納物の外観を前記透過部材越しに視認可能とし、前記収納箱部の前記開口の上縁部に載置された前記透過部材を当該上縁部に対し係止する係止部材をさらに有し、前記収納箱部は、前記第１被収納物を、前記薄板状の面方向を略鉛直にしつつ収納し、４つの前記係止部材が、前記収納箱部の前記開口の前記上縁部における前記略正方形状の４つのコーナー部にそれぞれ設けられて前記透過部材の四隅をそれぞれ係止し、４つの前記載置部が、前記収納箱部の前記開口の前記上縁部近傍において、前記４つのコーナー部にそれぞれ配置された前記４つの係止部材よりも前記略正方形状の内周側にそれぞれ設けられて、前記１つの前記第１被収納物の四隅を下方からそれぞれ支持することを特徴とする。
また上記目的を達成するために、本願発明の移動式収納家具は、正方形の外郭形状を有する薄板状の第１被収納物を複数枚収納可能に構成され、上方が開口し上面視が略正方形状の収納箱部と、前記収納箱部の下部に設けられ、当該収納箱部を移動自在に支持するキャスター部と、前記収納箱部の前記開口を塞ぐように上部に設けられた略透明な板状の透過部材と、任意の１つの前記第１被収納物を、前記薄板状の面方向を略水平にしつつ前記透過部材の下部において載置する載置部と、を有し、前記載置部に略水平に載置された前記第１被収納物の外観を前記透過部材越しに視認可能とし、前記収納箱部の前記開口の上縁部に載置された前記透過部材を当該上縁部に対し係止する係止部材をさらに有し、前記収納箱部は、前記第１被収納物を、前記薄板状の面方向を略鉛直にしつつ収納し、前記載置部は、前記収納箱部の前記開口の前記上縁部近傍かつ前記透過部材の下方において当該透過部材と略平行に配置された、前記収納箱部に対して着脱可能な平板部材であり、かつ、前記載置部は、前記収納箱部の壁面近傍に、開口部を備えることを特徴とする。
また上記目的を達成するために、本願発明の移動式収納家具は、略正方形の外郭形状を有する薄板状の第１被収納物を複数枚収納可能に構成され、上方が開口し上面視が略正方形状の収納箱部と、前記収納箱部の下部に設けられ、当該収納箱部を移動自在に支持するキャスター部と、前記収納箱部の前記開口を塞ぐように上部に設けられた略透明な板状の透過部材と、任意の１つの前記第１被収納物を、前記薄板状の面方向を略水平にしつつ前記透過部材の下部において載置する載置部と、を有し、前記載置部に略水平に載置された前記第１被収納物の外観を前記透過部材越しに視認可能とし、前記収納箱部の前記開口の上縁部に載置された前記透過部材を当該上縁部に対し係止する係止部材をさらに有し、前記収納箱部は、前記第１被収納物を、前記薄板状の面方向を略鉛直にしつつ収納し、前記載置部は、前記収納箱部の前記開口の前記上縁部近傍かつ前記透過部材の下方において当該透過部材と略平行に配置された、前記収納箱部に対して着脱可能な平板部材であり、かつ、前記載置部は、前記載置部は、互いに異なる大きさを備えた複数種類の前記第１被収納物の外形にそれぞれ対応した、各第１被収納物をそれぞれ位置決め可能な複数の凹部を備えることを特徴とする。
また上記目的を達成するために、本願発明の移動式収納家具は、略正方形の外郭形状を有する薄板状の第１被収納物を複数枚収納可能に構成され、上方が開口し上面視が略正方形状の収納箱部と、前記収納箱部の下部に設けられ、当該収納箱部を移動自在に支持するキャスター部と、前記収納箱部の前記開口を塞ぐように上部に設けられた略透明な板状の透過部材と、任意の１つの前記第１被収納物を、前記薄板状の面方向を略水平にしつつ前記透過部材の下部において載置する載置部と、を有し、前記載置部に略水平に載置された前記第１被収納物の外観を前記透過部材越しに視認可能とし、前記収納箱部の前記開口の上縁部に載置された前記透過部材を当該上縁部に対し係止する係止部材をさらに有し、前記収納箱部は、前記第１被収納物を、前記薄板状の面方向を略鉛直にしつつ収納し、前記載置部は、前記収納箱部の前記開口の前記上縁部近傍かつ前記透過部材の下方において当該透過部材と略平行に配置された、前記収納箱部に対して着脱可能な平板部材であり、かつ、前記載置部は、前記第１被収納物の外形に対応した、当該第１被収納物を位置決め可能な凹部を備え、かつ、前記載置部は、互いに異なる複数の向きで前記第１被収納物をそれぞれ載置する場合に対応した、複数の前記凹部を備えることを特徴とする。
【０００７】
本願発明の移動式収納家具では、たくさんの第１被収納物を収納箱部に収納でき、かつ透過部材の上面をテーブル面として使用することができる。さらに移動自在であるので、使用する所望の場所に移動することができ、使用しないときは邪魔にならない位置に退避できる。
【０００８】
しかも、収納箱部に第１被収納物を複数枚収納できるのみならず、任意の１つの第１被収納物の外観を、テーブル面の背景デザインとして使用して美観を向上でき、おしゃれ感を演出することができる。したがって、透過部材は、天板としての強度を確保しつつ第１被収納物の外観を美しく見せることができる。
【発明の効果】
【０００９】
本発明によれば、テーブルとして利用でき、テーブルとして利用する際にデザインを表現してインテリアとしての美観を向上させることができる。
【図面の簡単な説明】
【００１０】
【図１】本発明の一実施形態による移動式収納家具（透明天板を閉じた状態）を表す斜視図である。
【図２】本発明の一実施形態による移動式収納家具（透明天板を開けた状態）を表す斜視図である。
【図３】本発明の一実施形態による移動式収納家具（透明天板の下にレコードを略水平に載置する様子）を表す斜視図である。図である。
【図４】本発明の一実施形態による移動式収納家具を表す分解斜視図である。図である。
【図５】四方コーナー部品を表す拡大斜視図である。
【図６】ディスプレイアタッチメントを表す拡大斜視図である。
【図７】変形例１による移動式収納家具（透明天板の下にレコードを略水平に載置する様子）を表す斜視図である。
【図８】変形例２による移動式収納家具（開閉扉を開けた状態）を表す斜視図である。
【図９】変形例３による移動式収納家具（透明天板の下にレコードを略水平に載置する様子）を表す斜視図である。
【図１０】変形例４による移動式収納家具の平板部材を表す平面図である。
【図１１】変形例５による移動式収納家具の平板部材を表す平面図である。
【図１２】変形例６による移動式収納家具を表す分解斜視図である。
【図１３】仕切部材を表す拡大斜視図である。
【図１４】変形例７による移動式収納家具（透明天板を閉じた状態）を表す斜視図である。
【発明を実施するための形態】
【００１１】
以下、本発明の一実施形態を、図面を参照して説明する。
【００１２】
＜構成＞
本実施形態による移動式収納家具１を説明する図を図１〜図６に示す。なお、以下の説明において、上下方向、前後方向（正面側、背面側）及び左右方向は、収納ボックス１０（収納箱部に相当）の面のうちレコード２（第１被収納物に相当）の配置方向に対向する面の一つを前面とした場合における上下方向（上側、底側）、前後方向（正面側、背面側）及び左右方向に相当しており、図１〜図４の各図中に適宜示される矢印の方向に対応している。
【００１３】
本実施形態による移動式収納家具１は、収納ボックス１０と、キャスター２０（キャスター部に相当）と、透明天板３０（透過部材に相当）と、四方コーナー部品４０（係止部材に相当）と、ディスプレイアタッチメント５０（載置部に相当）と、を有している。
【００１４】
収納ボックス１０は、略正方形の外郭形状を有する薄板状の第１被収納物としてのレコード２を複数枚収納可能に構成されており、上方が開口し上面視が略正方形状の箱体である。すなわち、収納ボックス１０は、前壁面、左右壁面、後壁面及び底壁面と、開口１１と、を有している。収納ボックス１０は、レコード２を、薄板状の面方向を略鉛直にしつつ収納することができるようになっており、この例では、レコード２の薄板状の面が、収納ボックス１０の前壁面又は後壁面に対向するように配置されている。なお、レコード２の薄板状の面が、収納ボックス１０の左壁面又は右壁面に対向するように配置されていてもよい。収納ボックス１０は、任意の１つのレコード２’を、薄板状の面方向を略水平にしつつ透明天板３０の下部において載置できるようになっている（詳細な載置構成は後述）。収納ボックス１０は、レコード盤の多くを占める１２インチサイズレコード（約３０ｃｍ）、１０インチサイズレコード（約２５ｃｍ）及び７インチサイズレコード（約１７ｃｍ）を収納可能となっており、具体的には、収納ボックス１０のサイズは左右方向幅、前後方向幅及び上下方向高さともに、１２インチサイズレコードのサイズに少し余裕を持たせた３５ｃｍ程度になっている。なお、収納ボックス１０のサイズは１２インチサイズレコードに合わせたものに限られれず、収納ボックス１０のサイズを１０インチサイズレコードのサイズに合わせる場合は、収納ボックス１０の左右方向幅、前後方向幅及び上下方向高さが、１０インチサイズレコードのサイズに少し余裕を持たせた２９ｃｍ程度になり、収納ボックス１０のサイズを７インチサイズレコードのサイズに合わせる場合は、収納ボックス１０の左右方向幅、前後方向幅及び上下方向高さが、７インチサイズレコードのサイズに少し余裕を持たせた２０ｃｍ程度になる。収納ボックス１０の材質としては、プラスチック段ボール、布装飾されたスチール、アルミ、木など種々の素材を使用可能であるが、この例では、ある程度の強度や耐久性が得られコストパフォーマンスの高いプラスチック段ボールが使用されている。布装飾されたスチール、アルミ、木などの他の素材であってもよい。これにより、移動式収納家具１は、レコード２を大量に収納できるようになっている。
【００１５】
キャスター２０は、収納ボックス１０の下部に設けられ、収納ボックス１０を移動自在に支持する部材である。具体的には、キャスター２０は、４つあり、収納ボックス１０の底壁面における正方形状の４つのコーナー部にそれぞれ設けられている。これにより、移動式収納家具１は、自在に移動できるようになっている。
【００１６】
透明天板３０は、収納ボックス１０の開口１１を塞ぐように上部に設けられた略透明な略正方形板状の部材である。透明天板３０は、薄板状の面方向を略水平にしつつ透明天板３０の下部において載置されるレコード２’の絵柄・模様デザイン等が目視で視認できる程度の透過性を有している。透明天板３０は、収納ボックス１０の左右方向幅及び前後方向幅とほぼ同じサイズを有している。透明天板３０の材質としては、透明性や強度を確保可能なアクリルや強化ガラスなどの素材を使用可能であるが、この例では、耐久性や安全性を考慮して厚さ数ｍｍ〜１０数ｍｍ程度のアクリル板が使用されている。なお、強化ガラスなどの他の素材であってもよい。これにより、移動式収納家具１は、薄板状の面方向を略水平にしつつ透明天板３０の下部において載置されるレコード２’のジャケットを綺麗に視認できるようになっている。
【００１７】
四方コーナー部品４０は、収納ボックス１０の開口１１の上縁部に載置された透明天板３０を当該上縁部に対し係止する部材である。この例では、四方コーナー部品４０が、収納ボックス１０の開口１１の上縁部における正方形状の４つのコーナー部にそれぞれ設けられて透明天板３０の四隅をそれぞれ係止している。四方コーナー部品４０はそれぞれ、上面視が略Ｌ字形状の掛かり代部４１と、掛かり代部４１の下面外周縁から下方に向かって延びる外側補強部４２と、掛かり代部４１の下面内周縁から下方に向かって延びる内側補強部４３と、掛かり代部４１の上面外周縁から上方に向かって延びる縁止め部４４と、を有している。各四方コーナー部品４０の外側補強部４２及び内側補強部４３は、収納ボックス１０上部のコーナー部を挟むように装着され、収納ボックス１０の補強部材として機能している。各四方コーナー部品４０の掛かり代部４１の上面には、透明天板３０のコーナー部が載置され、透明天板３０の掛かり代として機能している。各四方コーナー部品４０の縁止め部４４は、透明天板３０のコーナー部の外周縁を囲んでおり、透明天板３０が前後方向や左右方向へずれることを防止している。四方コーナー部品４０の材質としては、適当な強度を持った素材であれば種々の素材を使用可能であるが、この例では、プラスチックが使用されている。なお、適当な強度を持った他の素材であってもよい。これにより、移動式収納家具１は、透明天板３０をテーブル面として使用できるようになっている。
【００１８】
ディスプレイアタッチメント５０は、任意の１つのレコード２’を、薄板状の面方向を略水平にしつつ透明天板３０の下部において載置する部材である。この例では、ディスプレイアタッチメント５０が、収納ボックス１０の開口１１の上縁部近傍において、４つのコーナー部にそれぞれ配置された４つの四方コーナー部品４０よりも略正方形状の内周側にそれぞれ設けられて、レコード２’の四隅を下方からそれぞれ支持している。ディスプレイアタッチメント５０はそれぞれ、四方コーナー部品４０の内周側に嵌合する支持部５１と、掛かり代部５１の両端部のそれぞれから下方に向かって延びる係止部５２と、を有している。各ディスプレイアタッチメント５０の支持部５１の上面には、レコード２’のコーナー部が載置され、レコード２’の掛かり代として機能している。各ディスプレイアタッチメント５０の係止部５２は、四方コーナー部品４０よりも内周側において収納ボックス１０上部のコーナー部に装着されており、支持部５１に載置されたレコード２’の重量を受けている。ディスプレイアタッチメント５０の材質としては、適当な強度を持った素材であれば種々の素材を使用可能であるが、この例では、プラスチックが使用されている。なお、適当な強度を持った他の素材であってもよい。これにより、移動式収納家具１では、ディスプレイアタッチメント５０に略水平に載置されるレコード２’の外観を透明天板３０越しに視認可能になっている。また、移動式収納家具１では、収納ボックス１０内にレコード２が収納されていなくても、ディスプレイアタッチメント５０によってレコード２’を透明天板３０の真下に配置することができるようになっている。
【００１９】
＜実施形態の効果＞
以上説明したように、本実施形態の移動式収納家具１では、略正方形の外郭形状を有する薄板状のレコード２を複数枚収納可能に構成され、上方が開口し上面視が略正方形状の収納ボックス１０と、収納ボックス１０の下部に設けられ、収納ボックス１０を移動自在に支持するキャスター２０と、収納ボックス１０の開口１０を塞ぐように上部に設けられた略透明な板状の透明天板３０と、任意の１つのレコード２’を、薄板状の面方向を略水平にしつつ透明天板３０の下部において載置するディスプレイアタッチメント５０と、を有し、ディスプレイアタッチメント５０に略水平に載置されたレコード２’の外観を透明天板３０越しに視認可能としている。
【００２０】
このような構成を有する本実施形態の移動式収納家具１では、たくさんのレコード２を収納ボックス１０に収納でき（図３及び図４参照）、かつ透明天板３０の上面をテーブル面として使用することができる（図１参照）。さらに移動自在であるので、使用する所望の場所に移動することができ（図１〜図４参照）、使用しないときは邪魔にならない位置に退避できる。
【００２１】
しかも、収納ボックス１０にレコード２を収納できるのみならず、そのレコード２’の外観を、テーブル面の背景デザインとして使用して美観を向上でき、おしゃれ感を演出することができる（図１及び図２参照）。透明天板３０は、天板としての強度を確保しつつレコード２’の外観を美しく見せることができる。また、ディスプレイするレコード２’を、気分によって手軽に簡単に交換できる。
【００２２】
また、本実施形態では特に、収納ボックス１０が、レコード２を、薄板状の面方向を略鉛直にしつつ収納している（図３及び図４参照）。このため、より多くのレコード２を収納ボックス１０に収納できる。
【００２３】
また、本実施形態では特に、収納ボックス１０の開口１１の上縁部に載置された透明天板３０を当該上縁部に対し係止する四方コーナー部品４０をさらに有している（図１〜図５参照）。このため、透明天板３０の掛かり代と収納ボックス１０の補強という２つの機能を得ることができる。
【００２４】
また、本実施形態では特に、四方コーナー部品４０が、収納ボックス１０の開口１１の上縁部における正方形状の４つのコーナー部にそれぞれ設けられて透明天板３０の四隅をそれぞれ係止し（図１〜図４参照）、４つのディスプレイアタッチメント５０が、収納ボックス１０の開口１１の上縁部近傍において、４つのコーナー部にそれぞれ配置された４つの四方コーナー部品４０よりも略正方形状の内周側にそれぞれ設けられて、１つのレコード２’の四隅を下方からそれぞれ支持している（図１〜図４及び図６参照）。このため、例えば、収納ボックス１０にレコード２が全くないか、少ない状態でも、載置用の１つのレコード２’を確実に透明天板３０の下方に水平配置することができる。また、ディスプレイアタッチメント５０は収納ボックス１０のコーナー部付近だけに配置されるため、ディスプレイアタッチメント５０を収納ボックス１０に装着した状態であっても、レコード２’を取り除けば、レコード２を収納ボックス１０から出し入れしたり、レコード２’の交換を行うことができる（図３参照）。
【００２５】
＜変形例１＞
上記実施形態の移動式収納家具１においては、任意の１つのレコード２’を薄板状の面方向を略水平にしつつ透明天板３０の下部において載置する載置部として、ディスプレイアタッチメント５０が設けられており、４つのコーナー部にそれぞれ配置された４つの四方コーナー部品４０よりも略正方形状の内周側にそれぞれ設けられて１つのレコード２’の四隅を下方からそれぞれ支持している（図１〜図４及び図６参照）。
【００２６】
しかし、載置部はディスプレイアタッチメント５０に限られるものではなく、ディスプレイアタッチメント５０に代えて、本変形例のように、収納ボックス１０の開口１１の上縁部近傍かつ透明天板３０の下方において当該透明天板３０と略平行に配置された、収納ボックス１０に対して着脱可能な平板部材６０を使用してもよい（図７参照）。ここで、平板部材６０は、収納ボックス１０の開口１１全体を覆うように配置されている。
【００２７】
＜変形例２＞
上記変形例１の移動式収納家具１においては、平板部材６０が収納ボックス１０の開口１１全体を覆っているため（図７参照）、平板部材６０を取り除かなければ、レコード２を収納ボックス１０から出し入れすることができない。
【００２８】
そこで、本変形例では、平板部材６０の収納ボックス１０の壁面近傍に開口部７１を設けるようにしている（図８参照）。この例では、開口部７１が収納ボックス１０の前壁面近傍に設けられている。なお、他の壁面近傍に設けられていてもよい。これにより、ディスプレイアタッチメント５０を収納ボックス１０に装着した状態であっても、レコード２を収納ボックス１０から出し入れしたり、レコード２’の交換を行うことができる（図８参照）。
【００２９】
しかも、本変形例では、開口部７１を開閉する開閉扉７０（開閉部材に相当）を設けるようにしている（図８参照）。これにより、レコード２を収納ボックス１０から出し入れしたり、レコード２’の交換を行った後に、開閉扉７０を図８の矢印Ａのように開閉操作することで、開口部７１を塞ぐことができる。
【００３０】
＜変形例３＞
上記変形例１の移動式収納家具１において、平板部材６０に、レコード２’の外形に対応した、当該レコード２’を位置決め可能な凹部６１を設けてもよい（図９参照）。この例では、凹部６１を１２インチサイズレコードに対応するサイズにしている。これにより、レコード２’を安定的に載置することができる。なお、凹部６１は、１２インチサイズレコードに対応するサイズに限られるものではなく、１０インチサイズレコードや７インチサイズレコードに対応するサイズであってもよい。
【００３１】
上記変形例３の移動式収納家具１では、平板部材６０に設けている凹部６１を１２インチサイズレコードに対応するサイズにしているが（図９参照）、１２インチサイズレコードに代えて、１０インチサイズレコードや７インチサイズレコードのような異なるサイズのレコード２’を平板部材６０に載置したい場合もある。
【００３２】
そこで、本変形例では、平板部材６０に、互いに異なる大きさを備えた複数種類のレコード２’の外形にそれぞれ対応した、各レコード２’をそれぞれ位置決め可能な複数の凹部６１，６２を設けるようにしている（図１０参照）。この例では、凹部６１を１２インチサイズレコードに対応するサイズにし、凹部６２を７インチサイズレコードに対応するサイズにしている。これにより、いずれの種類のレコード２’に対しても安定的に載置することができる。なお、凹部６１，６２は、１２インチサイズレコードと７インチサイズレコードに対応する２つのサイズに限られるものではなく、１２インチサイズレコードと１０インチサイズレコードに対応する２つのサイズであったり、１０インチサイズレコードと７インチサイズレコードに対応する２つのサイズであってもよい。また、１２インチサイズレコード、１０インチサイズレコード及び７インチサイズレコードに対応する３つのサイズの凹部を設けてもよい。
【００３３】
＜変形例５＞
上記変形例３の移動式収納家具１では、平板部材６０に設けている凹部６１が収納ボックス１０の壁面に正対する方向に配置されているため、レコード２’が収納ボックス１０の壁面に正対する方向に配置されることになるが（図９参照）、収納ボックス１０の壁面に正対する方向とは異なる方向にレコード２’を配置したい場合もある。
【００３４】
そこで、本変形例では、平板部材６０に、互いに異なる複数の向きでレコード２’をそれぞれ載置する場合に対応した、複数の凹部６３，６４を設けるようにしている（図１１参照）。この例では、凹部６３，６４を７インチサイズレコードに対応するサイズにしており、凹部６３を収納ボックス１０の壁面に正対する方向に配置し、凹部６４が収納ボックス１０の壁面に正対する方向から４５度回転した方向に配置している。これにより、１つのレコード２’を、異なる複数の向きのうちいずれかの所望の向きにて選択的に載置することができる。なお、凹部６３，６４は、７インチサイズレコードに対応するサイズに限られるものではなく、他サイズのレコードに対応するサイズであってもよい。
【００３５】
＜変形例６＞
上記実施形態の移動式収納家具１では、収納ボックス１０にレコード２だけを収納しているが、レコード２以外のものも収納したい場合がある。
【００３６】
そこで、本変形例では、収納ボックス１０を、第１被収納物としてのレコード２’を複数枚収納可能な第１領域１２と、レコード２と異なる第２被収納物を複数個収納可能な第２領域１３とし、かつ、第１領域１２と第２領域１３とを区分可能な仕切部材８０を設けるようにしている（図１２参照）。この例では、収納ボックス１０の空間のうち後壁面側の領域を第１領域１２とし、前壁面側の領域を第２領域１３とし、単行本３を第２領域１３に収納する第２被収納物としている。なお、第１領域１２と第２領域１３の配置が逆になっていてもよい。仕切部材８０は、略正方形状の板状の本体部８１と、本体部８１の左上端部及び右上端部に設けられた２つの固定部８２と、本体部８１の下端部に設けられた２つの脚部８３と、を有している（図１３参照）。本体部８１は、プラスチック段ボールのような適当な強度を持つ部材であり、収納ボックス１０の空間を前後２つの領域１２，１３に仕切っている。固定部８２の１つは、本体部８１の左上端部を収納ボックス１０の左壁面の上端部に嵌め込み固定するための上面視略Ｔ字形状の部分であり、もう一つは、本体部８１の右上端部を収納ボックス１０の右壁面の上端部に嵌め込み固定するための上面視略Ｔ字形状の部分である。脚部８３はそれぞれ、仕切部材８０を自立可能にするために、前後方向に延びる板状の部分である。これにより、レコード２以外のものも収納可能とすることで、使い勝手を向上できる。また、仕切部材８０の位置を変更可能とすることで、収納態様をフレキシブルに変更できるメリットもある。
【００３７】
上記実施形態の移動式収納家具１では、透明天板３０、四方コーナー部品４０及びディスプレイアタッチメント５０などが設けられた収納ボックス１０を１個（以下、収納家具ユニットと呼ぶ）だけ有する構成となっているが、複数組の収納家具ユニットを略水平方向に複数個連結した構成としてもよい。
【００３８】
例えば、図１４においては、２個の収納家具ユニット１’（透明天板３０、四方コーナー部品４０及びディスプレイアタッチメント５０などが設けられた収納ボックス１０）を略水平方向に連結し、それら互いに連結された２個の収納家具ユニット１’の下部に、当該２個の収納家具ユニット１’を一体として移動自在に支持するキャスター２０を設けることで、移動式収納家具１を構成している。これにより、テーブル面のサイズを大きくすることができ、また、各収納家具ユニット１’に異なるレコード２’をディスプレイすることができる。なお、この例では、収納家具ユニット１’を２個連結しているが、３個以上連結してもよい。また、収納家具ユニット１’を構成する収納ボックス１０のサイズについては、１２インチサイズレコード、１０インチサイズレコード、及び、７インチサイズレコードのいずれのサイズに合わせたものでもよい。
【００３９】
＜他の変形例＞
上記実施形態及び変形例においては、載置部としてのディスプレイアタッチメント５０や平板部材６０が係止部材としての四方コーナー部品４０と別部材で構成されているが、載置部と係止部材とが一体の部材であってもよい。
【００４０】
また、上記実施形態及び変形例においては、載置部としてディスプレイアタッチメント５０や平板部材６０が設けられているが、収納ボックス１０に多数の１２インチサイズレコード２が収納されている場合には、縦置きされた多数のレコード２の上端部の上に、任意の１つのレコード２’を薄板状の面方向を略水平にしつつ透明天板３０の下部において載置してもよい。すなわち、収納ボックス１０に縦置きされた多数のレコード２の上端部を載置部としてもよい。
【００４１】
なお、以上の説明において、外観上の寸法や大きさが「同一」「等しい」「異なる」等の記載がある場合は、当該記載は厳密な意味ではない。すなわち、それら「同一」「等しい」「異なる」とは、設計上、製造上の公差、誤差が許容され、「実質的に同一」「実質的に等しい」「実質的に異なる」という意味である。
【００４２】
また、以上既に述べた以外にも、上記実施形態や各変形例による手法を適宜組み合わせて利用しても良い。
【００４３】
その他、一々例示はしないが、本発明は、その趣旨を逸脱しない範囲内において、種々の変更が加えられて実施されるものである。
【符号の説明】
【００４４】
１          移動式収納家具
１’        収納家具ユニット
２，２’    レコード（第１被収納物）
１０        収納ボックス
１２        第１領域
１３        第２領域
２０        キャスター（キャスター部）
３０        透明天板（透過部材）
４０        四方コーナー部品（係止部材）
５０        ディスプレイアタッチメント（載置部）
６０        平板部材（載置部）
６１〜６４  凹部
７０        開閉扉（開閉部材）
７１        開口部
８０        仕切部材
【要約】
【課題】テーブルとして利用し、テーブルとして利用する際にデザインを表現してインテリアとしての美観を向上させる。
【解決手段】移動式収納家具１は、レコード２，２’を複数枚収納可能に構成され、上方が開口し上面視が略正方形状の収納ボックス１０と、収納ボックス１０の下部に設けられ、収納ボックス１０を移動自在に支持するキャスター部２０と、収納ボックス１０の前記開口を塞ぐように上部に設けられた略透明な透明天板３０と、任意の１つのレコード２’を、薄板状の面方向を略水平にしつつ透明天板３０の下部において載置するディスプレイアタッチメント５０と、を有し、ディスプレイアタッチメント５０に略水平に載置されたレコード２’の外観を透明天板３０越しに視認可能である。
【選択図】図４【図１】
0006950111.tif 000002
【図２】
0006950111.tif 000003
【図３】
0006950111.tif 000004
【図４】
0006950111.tif 000005
【図５】
0006950111.tif 000006
【図６】
0006950111.tif 000007
【図７】
0006950111.tif 000008
【図８】
0006950111.tif 000009
【図９】
0006950111.tif 000010
【図１０】
0006950111.tif 000011
【図１１】
0006950111.tif 000012
【図１２】
0006950111.tif 000013
【図１３】
0006950111.tif 000014
【図１４】
0006950111.tif 000015